(57)【特許請求の範囲】
【請求項１】
複数の印刷対象画像を１枚の用紙に配置して印刷する際に、前記複数の印刷対象画像のそれぞれについて、前記印刷対象画像の領域外であって４隅の近傍に切り取りマークを配置して印刷するように制御する印刷制御手段と、
前記複数の印刷対象画像を印刷する用紙の用紙サイズを取得する用紙サイズ取得手段と、
を有し、
前記印刷制御手段は、用紙端部に印刷対象画像が配置されず、前記印刷対象画像の領域外であって４隅の近傍に第１の切り取りマークを十分に印刷可能な場合には、前記印刷対象画像の領域外であって４隅の近傍に前記第１の切り取りマークを配置し、用紙端部に印刷対象画像が配置され、前記第１の切り取りマークが十分に印刷できない場合には、前記第１の切り取りマークとは異なる第２の切り取りマークを当該印刷対象画像の領域外であって４隅の近傍に配置して印刷するように制御し、
前記印刷制御手段は、前記用紙サイズ取得手段により取得した用紙サイズに基づいて、前記複数の印刷対象画像に対して、前記第１の切り取りマークを配置するか、又は、前記第２の切り取りマークを配置するかを決定することを特徴とする印刷制御装置。
【請求項２】
前記用紙サイズ取得手段は、ユーザにより設定された用紙サイズを取得することを特徴とする請求項１に記載の印刷制御装置。
【請求項３】
複数の印刷対象画像を１枚の用紙に配置して印刷する際に、前記複数の印刷対象画像のそれぞれについて、前記印刷対象画像の領域外であって４隅の近傍に切り取りマークを配置して印刷するように制御する印刷制御手段と、
ユーザ操作に基づいて印刷対象画像を印刷する際の用紙サイズ、及び、１枚の用紙に印刷する画像の数を示すレイアウトを設定する印刷設定手段と、
を有し、
前記印刷制御手段は、用紙端部に印刷対象画像が配置されず、前記印刷対象画像の領域外であって４隅の近傍に第１の切り取りマークを十分に印刷可能な場合には、前記印刷対象画像の領域外であって４隅の近傍に前記第１の切り取りマークを配置し、用紙端部に印刷対象画像が配置され、前記第１の切り取りマークが十分に印刷できない場合には、前記第１の切り取りマークとは異なる第２の切り取りマークを当該印刷対象画像の領域外であって４隅の近傍に配置して印刷するように制御し、
前記印刷制御手段は、前記印刷設定手段により設定された用紙サイズ及びレイアウトに基づいて、前記複数の印刷対象画像に対して、前記第１の切り取りマークを配置するか、又は、前記第２の切り取りマークを配置するかを決定することを特徴とする印刷制御装置。
【請求項４】
複数の印刷対象画像を１枚の用紙に配置して印刷する際に、前記複数の印刷対象画像のそれぞれについて、前記印刷対象画像の領域外であって４隅の近傍に切り取りマークを配置して印刷するように制御する印刷制御手段と、を有し、
前記印刷制御手段は、用紙端部に印刷対象画像が配置されず、前記印刷対象画像の領域外であって４隅の近傍に第１の切り取りマークを十分に印刷可能な場合には、前記印刷対象画像の領域外であって４隅の近傍に前記第１の切り取りマークを配置し、用紙端部に印刷対象画像が配置され、前記第１の切り取りマークが十分に印刷できない場合には、前記第１の切り取りマークとは異なる第２の切り取りマークを当該印刷対象画像の領域外であって４隅の近傍に配置して印刷するように制御し、
前記印刷制御手段は、前記複数の印刷対象画像について、印刷対象画像毎に、前記第１の切り取りマークを配置するか、又は、前記第２の切り取りマークを配置するかを決定することを特徴とする印刷制御装置。
【請求項５】
切り取りマークを印刷するか否かを設定する切り取りマーク印刷設定手段を有し、
前記印刷制御手段は、前記切り取りマーク印刷設定手段により切り取りマークを印刷すると設定された場合に、前記印刷対象画像の領域外であって４隅の近傍に切り取りマークを配置して印刷するように制御することを特徴とする請求項１ないし４のいずれか１項に記載の印刷制御装置。
【請求項６】
前記第１の切り取りマークが正方形であり、前記第２の切り取りマークが長方形であることを特徴とする請求項１ないし５のいずれか１項に記載の印刷制御装置。
【請求項７】
前記第２の切り取りマークは、前記第１の切り取りマークよりも大きい切り取りマークであることを特徴とする請求項１ないし６のいずれか１項に記載の印刷制御装置。
【請求項８】
前記印刷制御手段は、用紙の搬送方向と直交する方向における用紙端部に印刷対象画像が配置される場合には、前記第２の切り取りマークを配置し、用紙の搬送方向における用紙端部に印刷対象画像が配置されるとしても、用紙の搬送方向と直交する方向における用紙端部に印刷対象画像が配置されない場合は、前記第１の切り取りマークを配置することを特徴とする請求項１ないし７のいずれか１項に記載の印刷制御装置。
【請求項９】
前記印刷制御手段は、用紙の搬送方向と直交する方向における用紙端部には、前記第２の切り取りマークを配置し、用紙の搬送方向における用紙端部には、前記第１の切り取りマークを配置することを特徴とする請求項１ないし７のいずれか１項に記載の印刷制御装置。
【請求項１０】
前記印刷制御手段による制御に基づき、前記複数の印刷対象画像を１枚の用紙に印刷する印刷手段を有することを特徴とする請求項１ないし９のいずれか１項に記載の印刷制御装置。
【請求項１１】
コンピュータを請求項１ないし１０に記載の各手段として機能させるためのプログラム。
【請求項１２】
複数の印刷対象画像を１枚の用紙に配置して印刷する際に、前記複数の印刷対象画像のそれぞれについて、前記印刷対象画像の領域外であって４隅の近傍に切り取りマークを配置して印刷するように制御する印刷制御工程と、
前記複数の印刷対象画像を印刷する用紙の用紙サイズを取得する用紙サイズ取得工程と、
を有し、
前記印刷制御工程では、用紙端部に印刷対象画像が配置されず、前記印刷対象画像の領域外であって４隅の近傍に第１の切り取りマークを十分に印刷可能な場合には、前記印刷対象画像の領域外であって４隅の近傍に前記第１の切り取りマークを配置し、用紙端部に印刷対象画像が配置され、前記第１の切り取りマークが十分に印刷できない場合には、前記第１の切り取りマークとは異なる第２の切り取りマークを当該印刷対象画像の領域外であって４隅の近傍に配置して印刷するように制御し、
前記印刷制御工程では、前記用紙サイズ取得手段により取得した用紙サイズに基づいて、前記複数の印刷対象画像に対して、前記第１の切り取りマークを配置するか、又は、前記第２の切り取りマークを配置するかを決定することを特徴とする印刷制御装置の制御方法。
【請求項１３】
複数の印刷対象画像を１枚の用紙に配置して印刷する際に、前記複数の印刷対象画像のそれぞれについて、前記印刷対象画像の領域外であって４隅の近傍に切り取りマークを配置して印刷するように制御する印刷制御工程と、
ユーザ操作に基づいて印刷対象画像を印刷する際の用紙サイズ、及び、１枚の用紙に印刷する画像の数を示すレイアウトを設定する印刷設定工程と、
を有し、
前記印刷制御工程では、用紙端部に印刷対象画像が配置されず、前記印刷対象画像の領域外であって４隅の近傍に第１の切り取りマークを十分に印刷可能な場合には、前記印刷対象画像の領域外であって４隅の近傍に前記第１の切り取りマークを配置し、用紙端部に印刷対象画像が配置され、前記第１の切り取りマークが十分に印刷できない場合には、前記第１の切り取りマークとは異なる第２の切り取りマークを当該印刷対象画像の領域外であって４隅の近傍に配置して印刷するように制御し、
前記印刷制御工程では、前記印刷設定手段により設定された用紙サイズ及びレイアウトに基づいて、前記複数の印刷対象画像に対して、前記第１の切り取りマークを配置するか、又は、前記第２の切り取りマークを配置するかを決定することを特徴とする印刷制御装置の制御方法。
【請求項１４】
複数の印刷対象画像を１枚の用紙に配置して印刷する際に、前記複数の印刷対象画像のそれぞれについて、前記印刷対象画像の領域外であって４隅の近傍に切り取りマークを配置して印刷するように制御する印刷制御工程を有し、
前記印刷制御工程では、用紙端部に印刷対象画像が配置されず、前記印刷対象画像の領域外であって４隅の近傍に第１の切り取りマークを十分に印刷可能な場合には、前記印刷対象画像の領域外であって４隅の近傍に前記第１の切り取りマークを配置し、用紙端部に印刷対象画像が配置され、前記第１の切り取りマークが十分に印刷できない場合には、前記第１の切り取りマークとは異なる第２の切り取りマークを当該印刷対象画像の領域外であって４隅の近傍に配置して印刷するように制御し、
前記印刷制御工程では、前記複数の印刷対象画像について、印刷対象画像毎に、前記第１の切り取りマークを配置するか、又は、前記第２の切り取りマークを配置するかを決定することを特徴とする印刷制御装置の制御方法。
【請求項１５】
請求項１２ないし１４のいずれか１項に記載の印刷制御装置の制御方法をコンピュータに実行させるためのプログラム。
【発明の詳細な説明】
【技術分野】
【０００１】
本発明は、印刷装置及びその制御方法に関し、より具体的には、印画紙に切り取りマークを印刷する印刷装置及びその制御方法に関する。
【背景技術】
【０００２】
一枚の印画紙に複数の印刷対象画像を印刷し、印刷後に切り取って使用するという利用法があり、そのような利用法のために、切り取りの目安となる切り取りマークを同時に印刷することが行われる。
【０００３】
特許文献１には、同じ人物を撮影した４つの人物画像を切り取りマーク入りで印刷する証明写真印刷装置が記載されている。
【先行技術文献】
【特許文献】
【０００４】
【特許文献１】特開平９−２７８９７号公報
【発明の概要】
【発明が解決しようとする課題】
【０００５】
特許文献１に開示された従来技術では、印刷対象画像（人物画像）に対して切り取りマークの位置を決定しており、印画紙の大きさは特に考慮されていない。これは、ここの印刷対象画像のサイズも印画紙のサイズも一定だからである。
【０００６】
他方、一般的な写真印刷を考慮すると、印刷対象画像のサイズは一定ではなく、また、印画紙のサイズも一定ではない環境がある。そのような環境に特許文献１に記載の技術を導入すると、切り取りマークが印画紙の外にはみ出してしまう可能性がある。最悪の場合、切り取りマークの全てが印画紙の外側に配置され、切り取りマークが印画紙に印刷されない場合があった。
【０００７】
そこで、本発明は、切り取りマークが印画紙に印刷されない可能性を低減する印刷装置及びその制御方法を提示することを目的とする。
【課題を解決するための手段】
【０００８】
上記目的を達成するために、本発明に係る印刷制御装置は、複数の印刷対象画像を１枚の用紙に配置して印刷する際に、複数の印刷対象画像のそれぞれについて、印刷対象画像の領域外であって４隅の近傍に切り取りマークを配置して印刷するように制御する印刷制御手段と、複数の印刷対象画像を印刷する用紙の用紙サイズを取得する用紙サイズ取得手段と、を有し、印刷制御手段は、用紙端部に印刷対象画像が配置されず、印刷対象画像の領域外であって４隅の近傍に第１の切り取りマークを十分に印刷可能な場合には、印刷対象画像の領域外であって４隅の近傍に第１の切り取りマークを配置し、用紙端部に印刷対象画像が配置され、第１の切り取りマークが十分に印刷できない場合には、第１の切り取りマークとは異なる第２の切り取りマークを当該印刷対象画像の領域外であって４隅の近傍に配置して印刷するように制御し、印刷制御手段は、用紙サイズ取得手段により取得した用紙サイズに基づいて、複数の印刷対象画像に対して、第１の切り取りマークを配置するか、又は、第２の切り取りマークを配置するかを決定することを特徴とする。
または、本発明に係る印刷制御装置は、複数の印刷対象画像を１枚の用紙に配置して印刷する際に、複数の印刷対象画像のそれぞれについて、印刷対象画像の領域外であって４隅の近傍に切り取りマークを配置して印刷するように制御する印刷制御手段と、ユーザ操作に基づいて印刷対象画像を印刷する際の用紙サイズ、及び、１枚の用紙に印刷する画像の数を示すレイアウトを設定する印刷設定手段と、を有し、印刷制御手段は、用紙端部に印刷対象画像が配置されず、印刷対象画像の領域外であって４隅の近傍に第１の切り取りマークを十分に印刷可能な場合には、印刷対象画像の領域外であって４隅の近傍に第１の切り取りマークを配置し、用紙端部に印刷対象画像が配置され、第１の切り取りマークが十分に印刷できない場合には、第１の切り取りマークとは異なる第２の切り取りマークを当該印刷対象画像の領域外であって４隅の近傍に配置して印刷するように制御し、印刷制御手段は、印刷設定手段により設定された用紙サイズ及びレイアウトに基づいて、複数の印刷対象画像に対して、第１の切り取りマークを配置するか、又は、第２の切り取りマークを配置するかを決定することを特徴とする。
または、本発明に係る印刷制御装置は、複数の印刷対象画像を１枚の用紙に配置して印刷する際に、複数の印刷対象画像のそれぞれについて、印刷対象画像の領域外であって４隅の近傍に切り取りマークを配置して印刷するように制御する印刷制御手段と、を有し、印刷制御手段は、用紙端部に印刷対象画像が配置されず、印刷対象画像の領域外であって４隅の近傍に第１の切り取りマークを十分に印刷可能な場合には、印刷対象画像の領域外であって４隅の近傍に第１の切り取りマークを配置し、用紙端部に印刷対象画像が配置され、第１の切り取りマークが十分に印刷できない場合には、第１の切り取りマークとは異なる第２の切り取りマークを当該印刷対象画像の領域外であって４隅の近傍に配置して印刷するように制御し、印刷制御手段は、複数の印刷対象画像について、印刷対象画像毎に、第１の切り取りマークを配置するか、又は、第２の切り取りマークを配置するかを決定することを特徴とする。
【発明の効果】
【０００９】
本発明によれば、切り取りマークが印画紙に印刷されない可能性を低減できる。
【図面の簡単な説明】
【００１０】
【図１】本発明の一実施例の概略構成ブロック図である。
【図２】本実施例の印刷処理の動作フローチャート図である。
【図３】本実施例の画像・レイアウト選択の画面例である。
【図４】本実施例のレイアウトと切り取りマークの配置例である。
【発明を実施するための形態】
【００１１】
以下、図面を参照して、本発明の実施例を詳細に説明する。
【実施例１】
【００１２】
図１は、本発明に係る印刷装置の一実施例の概略構成ブロック図を示す。
【００１３】
図１に示す印刷装置１００において、ＣＰＵ１０１，内部記憶装置１０２、メモリ１０３、記憶媒体１０４、操作部１０５、表示部１０６、給紙部１０７および印画部１０８が、内部バス１１０に接続する。内部バス１１０に接続される各部は、内部バス１１０を介して互いにデータのやりとりを行うことができる。
【００１４】
内部記憶装置１０２には、ＣＰＵ１０１が動作するための各種プログラム等のデータが格納される。ＣＰＵ１０１は、内部記憶装置１０２に格納されるプログラムに従い、メモリ１０３をワークメモリとして使用して、印刷装置１００の各部を制御する。
【００１５】
記憶媒体１０４は、印刷すべき画像データ等を記憶する。記憶媒体１０４は、印刷装置１００に着脱可能であってもよい。
【００１６】
操作部１０５は、印刷装置１００に対する指示をユーザから受け付けるために用いられる。表示部１０６は、印刷すべき画像データの画像を表示し、また、対話的な操作のためのメニューなどを表示する。表示部１０６に相当する手段を、印刷装置１００に外部接続するものとしてよく、その場合、印刷装置１００は、外部表示手段の表示を制御する表示制御手段を具備すればよい。
【００１７】
給紙部１０７は記録用紙を収容しており、ＣＰＵ１０１の制御に基づき記録用紙を印画部１０８に搬送する。印画部１０８は、ＣＰＵ１０１の制御に基づき給紙部１０７より搬送された記録用紙に指定の画像、文字及び切り取りマークを印画する。
【００１８】
図２、図３及び図４を参照して、印刷装置１００の印刷処理の動作を説明する。図２は、印刷装置１００の印刷処理の動作を示すフローチャートである。図３は、印刷装置１００の表示部１０６に表示される画面例を示す。図４は、印画紙に印画される画像等のレイアウトと切り取りマークの配置例を示す。
【００１９】
ステップＳ２０１において、ＣＰＵ１０１は、ユーザの指示または選択に基づき、記憶媒体１０４に格納された画像のうち、印刷すべき１以上の画像と、印画紙上のレイアウトを決定する。図３（ａ）は、印刷すべき画像を選択する際の、表示部１０６の表示画面例を示す。図３（ｂ）は、レイアウトの選択画面例を示す。
【００２０】
図３（ａ）に示す例では、表示部１０６は、記憶媒体１０４に格納された画像３０１が表示しており、ユーザは、操作部１０５の操作により、記憶媒体１０４の別の画像を表示させることができる。ユーザは、画面上に表示される印刷ボタン３０２を、操作部１０５により操作することで、表示中の画像の印刷（またはその前提としての選択）をＣＰＵ１０１に指示できる。図示していないが、この画面上で、印刷部数を指定し、複数枚の画像を印刷対象に選択または設定できるようにしてもよい。
【００２１】
図３（ｂ）に示す例では、適用すべきレイアウト３０３として「２面配置」がデフォルトで設定されている。ユーザは、操作部１０５を操作することにより、他のレイアウトを選択・設定できる。「２面配置」は、１枚の印画紙に２つの画像を配置するレイアウトであり、他のレイアウトとして、「１面配置」、「４面配置」「８面配置」及び「インデックス」などがある。印刷物のサイズを、「３５ｍｍ×４５ｍｍ」または「１．５ｉｎｃｈ×１．５ｉｎｃｈ」などのように設定できるようにし、設定されたサイズで１枚の印画紙に可能な数の画像を配置するレイアウトをＣＰＵ１０１が選択するようにしてもよい。
【００２２】
図３（ｂ）に示す例では、ユーザは、選択された画像を切り取りマーク付きで印刷するか否かをＣＰＵ１０１に指示できる。この例では、切り取りマーク３０４として「有」がデフォルトで設定されている。ユーザは、操作部１０５を操作することにより「無」（切り取りマークを印刷しない）を設定できる。
【００２３】
ステップＳ２０２において、ＣＰＵ１０１は、印刷すべき画像の数とサイズ、レイアウト及び切り取りマークの印刷要否に関する各設定を参照して、切り取りマークを印刷するか否かを判断する。切り取りマークを印刷する場合、ＣＰＵ１０１は、ステップＳ２０３に進み、切り取りマークを印刷しない場合、ＣＰＵ１０１はステップＳ２０７に進む。切り取りマークは、印刷された画像をユーザが切り取る際の補助となるマークであり、対応する画像の四隅に配置されて印刷される。
【００２４】
図３（ｂ）に示す例で、ユーザが切り取りマーク３０４を印刷する設定（「有」）を指定した場合でも、ＣＰＵ１０１は、レイアウト３０３の設定によっては、切り取りマークを印刷しない設定（「無」）とすることがある。例えば、レイアウト３０３において「１面配置」に設定されている場合、印画紙に１つの画像を配置することになるので、切り取る必要がなく、この場合、切り取りマークは印刷されない。切り取りマーク３０４の有無の設定を無くし、ＣＰＵ１０１が、レイアウト３０３の設定に応じて自動的に切り取りマークの有無を決定するようにしても良い。
【００２５】
ステップＳ２０３において、ＣＰＵ１０１は、給紙部１０７から印刷に実際に使用する印画紙のサイズ（印画紙サイズ）を取得する。給紙部１０７から印画紙サイズの異なる印画紙を給紙可能な場合、ＣＰＵ１０１は、表示部１０６に印画紙サイズの候補を表示し、ユーザに選択させても良い。印画紙サイズの選択は、事前に実施しておいても良いし、印刷の度に実施しても良い。
【００２６】
ステップＳ２０４において、ＣＰＵ１０１は、切り取りマークを用紙端に印刷することになるのかどうかを判断する。切り取りマークを用紙端に印刷することになる場合、ＣＰＵ１０１は、ステップＳ２０５に進む。切り取りマークを用紙端に印刷することにはならない場合、ＣＰＵ１０１は、ステップＳ２０６に進む。なお、本ステップは、１枚の印画紙に対して１回の判断を行っても良いし、配置される画像各々に対して、それぞれ判断を行っても良い。
【００２７】
ステップＳ２０５において、ＣＰＵ１０１は、切り取りマークをデフォルトの形状（通常の形状）から用紙端用の形状に変形する。または、ＣＰＵ１０１は、切り取りマークとして用紙端用の形状のものを印刷用に設定しても良い。図４（ａ）は、切り取りマークを用紙端に印刷する場合のレイアウト及び切り取りマークの例を示す。ここでは、ステップＳ２０１においてレイアウトを「２面配置」とした場合の例を示す。画像配置領域４０１は、ステップＳ２０１において決定された画像が配置される領域を示す。図４（ａ）に示す例では、画像配置領域４０１が用紙端に到達しているので、用紙端用の形状の切り取りマーク４０２を配置している。図示した例では、用紙端用の形状を細長い長方形の形状としているが、この形状に限られる訳ではない。また、用紙端用の切り取りマーク４０２は、切り取ったときに切り取りマークが画像側に残らないように、画像配置領域４０１から２ドット（画素）分離れた位置に配置している。しかし、離す距離を１ドット分にしてもよいし、画像配置領域４０１に隣接させて配置してもよい。
【００２８】
ステップＳ２０６において、ＣＰＵ１０１は、切り取りマークを通常の形状（デフォルト形状）とする。図４（ｂ）は、切り取りマークを用紙端に印刷しない場合のレイアウト及び切り取りマークの例を示す。ここでは、ステップＳ２０１においてレイアウトを「２面配置」とした場合の例を示す。図４（ａ）と比べると、ステップＳ２０１において決定された画像のアスペクト比が異なり、画像配置領域４０３が用紙端まで到達していない。そのため、通常の形状の切り取りマーク４０４を配置している。ここでは、通常の形状を正方形の形状としているが、この形状に限られる訳ではない。また、図４（ｂ）では、切り取りマーク４０４は、画像配置領域４０３の四隅に配置され、かつ、画像配置領域４０３の各辺から２ドット離れた位置に配置されている。これは、切り取りマークで切り取った際に切り取りマークが画像側に残らないようにするために画像配置領域４０３から少し離れた位置に切り取りマークを配置しているが、２ドットではなく、１ドット離れた位置に配置してもよい。また、画像配置領域４０１から離さずに、隣接させて配置してもよい。
【００２９】
図４（ｃ）は、図４（ａ）と同じ「２面配置」のレイアウトを選択し、同じ画像を印刷対象とし、画像の印刷サイズも同じに設定したが、用紙のサイズを、図４（ａ）よりも大きなサイズに設定した場合のレイアウト及び切り取りマークの例を示す。図４（ｃ）では、画像配置領域４０５が用紙端まで到達していないため、通常の形状の切り取りマーク４０４を配置している。
【００３０】
先に説明したように、ステップＳ２０４の判断は、１枚の印画紙に対して１回、実行するようにしても、印刷される各画像に対して実行するようにしてもよい。図４（ｄ）は、印刷される各画像に対してステップＳ２０４の判断を実行した場合のレイアウト及び切り取りマークの例を示す。図示例では、左側の画像印刷領域４０６が用紙端まで到達しているので、画像印刷領域４０６に対しては、用紙端用の形状の切り取りマーク４０２を配置している。一方、右側の画像印刷領域４０７は用紙端まで到達していないので、通常形状の切り取りマーク４０４を配置している。
【００３１】
上記の説明において、画像印刷領域が用紙端に到達する場合に用紙端用の形状の切り取りマーク４０２を配置し、画像印刷領域が用紙端に到達しない場合に通常形状の切り取りマーク４０４を配置するとした。しかし、ステップＳ２０４では、画像印刷領域が用紙端に到達するかを判断するのではなく、画像印刷領域の周り（四隅）に配置される切り取りマークが、用紙端部に配置されるかを判断してもよい。この場合、用紙端部に配置されると判断される場合に用紙端用の形状の切り取りマークを配置し、用紙端部に配置されないと判断される場合に、通常形状の切り取りマークを配置する。
【００３２】
Ｓ２０４での判断については、実際に印刷対象の画像および切り取りマークをレイアウトした後に、画像印刷領域または切り取りマークの配置に基づいて判断してもよいし、印刷する画像のアスペクト比または画像の印刷サイズ、用紙のサイズ、画像のレイアウト設定等から構成されるテーブルを予め用意し、設定された用紙のサイズ、印刷サイズ、レイアウト等に基づいて判断してもよい。
【００３３】
図４（ａ）において、画像配置領域４０１が用紙の端に到達している場合について説明した。しかし、図４（ｅ）のように、画像配置領域４０８が用紙端に完全に到達していなくても、用紙端部(例えば、用紙端の数ドットの領域)に到達している場合にも、用紙端部に配置される切り取りマークが印画されない可能性があるので、用紙端用の切り取りマーク４０２を配置してもよい。また、画像配置領域４０１が用紙端部に到達するかだけではなく、切り取りマークの配置位置が用紙端部に到達するかによって、つまり、切り取りマークが用紙端部に配置される場合に、用紙端用の切り取りマークを配置するようにしてもよい。
【００３４】
また、用紙搬送方向と直交する方向における用紙端部に切り取りマークが印刷される場合（用紙搬送方向と直交する方向における用紙端部に画像配置領域が到達する場合）にのみ、切り取りマークを用紙端用の形状としても良い。図４（ｆ）は、画像配置領域４０９は、用紙搬送方向と直交する方向における用紙端部に到達しており、画像配置領域４０９の切り取りマーク４１０も、用紙搬送方向と直交する方向における用紙端部に配置されている。そのため、切り取りマーク４１０は、用紙端用の切り取りマークを配置している。画像配置領域４１１は、用紙搬送方向における用紙端部に到達し、画像配置領域４１１の切り取りマーク４１２は、用紙搬送方向における用紙端部に配置されている。しかし、用紙搬送方向と直交する方向における用紙端部には、画像配置領域４１１も切り取りマーク４１２も配置されていない。そのため、切り取りマーク４１２は、通常形状としている。これは、用紙搬送方向と同じ向きには用紙送りの斜行が発生しないので、用紙搬送方向における用紙端部の切り取りマークは、形状を変えたり、大きくする必要がないためである。ただし、図４（ｆ）においては、図４（ｂ）八頭４（ｄ）のように、画像配置領域の各辺から２ドット離れた位置に配置すると、切り取りマークが、印刷範囲（用紙）から出てしまうため、切り取りマークの印刷位置は、印刷範囲（用紙）内に入るように変更している。
【００３５】
ステップＳ２０７において、ＣＰＵ１０１は、給紙部１０７に印画紙の給紙を指示し、印画部１０８に印刷を指示することで、印画紙への印刷を実行させる。図４に示すレイアウト及び切り取りマークの例では、印画紙の公差または給紙部１０７において印画紙を給紙する際に発生する斜行により、切り取りマークが印画紙外に印刷される可能性がある。これに対し、本実施例における処理により、切り取りマークの全てが印画紙外に印刷されるケースを防止できる。
【００３６】
上記実施例では、印刷対象画像が用紙端に到達するか否かで切り取りマークの形状を変更したが、サイズを変更するようにしてもよい。長方形と正方形の相違を長円形と円形の相違に変更してもよい。デフォルトでは通常形状の切り取りマークを規定の位置に配置し、用紙端に位置する印刷対象画像の切り取りマークの形状と位置をＳ２０５で変更するようにしてもよい。
【００３７】
また、上記実施例では、印刷装置を例に説明したが、本発明はこれに限定されない。給紙部１０７や印画部１０８を有する印刷装置と、画像の選択やレイアウトの決定や、印刷装置を制御する制御装置とを接続したシステムにより、本発明を実現してもよい。この場合、例えば、Ｓ２０７における印刷処理は印刷装置で行い、Ｓ２０１〜Ｓ２０５における画像やレイアウトの決定については、制御装置により実行する。
【００３８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。また、プログラムを供給するための記録媒体も本発明に含む。プログラムを供給するための記録媒体としては、例えば、ハードディスク、磁気テープ等の磁気記録媒体、光／光磁気記憶媒体、不揮発性の半導体メモリでもよい。
【図１】
0006655987.tif 000002
【図２】
0006655987.tif 000003
【図３】
0006655987.tif 000004
【図４】
0006655987.tif 000005